(57)【特許請求の範囲】
【請求項１】
マンチェスターコード化データ流デコーディング装置であって、
前記マンチェスターコード化データ流の遷移が検出されるとき遷移表示出力を発生するように前記マンチェスターコード化データ流を受信する遷移検出器、
前記遷移表示出力が発生された後の所定時刻に出力制御パルスを発生する回路、及び
前記マンチェスターコード化データ流を受信するサンプリングフリップフロップであって、前記出力制御パルスが発生されるとき前記マンチェスターコード化データの状態を出力するように前記出力制御パルスによって制御され、前記デコーディング装置はさらに前記マンチェスターコード化データ流より高い周波数のクロックパルス流を発生するクロック発生器を含み、前記遷移検出器は前記クロックパルス流を受信するように接続され、前記遷移検出器は前記遷移表示出力を前記クロックパルス流のパルスと同期させるように構成されている前記サンプリングフリップフロップ
を含み、位相ロックループ回路を用いないデコーディング装置。
【請求項２】
マンチェスターコード化データ流デコーディング装置であって、
前記マンチェスターコード化データ流の遷移が検出されるとき遷移表示出力を発生するように前記マンチェスターコード化データ流を受信する遷移検出器、
前記遷移表示出力が発生された後の所定時刻に出力制御パルスを発生する回路、及び
前記マンチェスターコード化データ流を受信するサンプリングフリップフロップであって、前記出力制御パルスが発生されるとき前記マンチェスターコード化データの状態を出力するように前記出力制御パルスによって制御され、前記デコーディング装置はさらに遷移後に発生するマンチェスターデータセルの既知半部を選択する位相選択器を含む前記サンプリングフリップフロップ
を含み、位相ロックループ回路を用いないデコーディング装置。
【発明の詳細な説明】
【０００１】
【発明の属する技術分野】
本発明は、マンチェスターコード化データ又はこれに似たデータのような、雑音性、断続性データデコーディング方法及び装置の改善に関し、更に、受信するデータ信号に応じた多動作モードを有する方法及び回路に関する。
【０００２】
【従来の技術】
マンチェスターコード化データは、遠隔測定データ又はその他の型式のデータを信頼性を以て伝送するのに有効である。典型的に、例えば、マンチェスターコード化データ流は、コード化遠隔測定データ流から発生される。このデータ流は、例えば、２進非零復帰（ＢＮＲＺとも称する）コード化信号（又は他の類似の技術によってコード化されたデータ流）であり、技術上知られている。マンチェスターコード化データを受信すると、この信号をデコードして元の２進非零復帰コード化信号を回復することが行われる。どんな手段によるにしろそうであるが、特に無線周波伝送を経由するデータ伝送に固有の問題の１つは、信号が雑音性になる、すなわち、静信号、又は他の高周波信号もしくは雑音を累積すると云うことである。これが、マンチェスターコード化データ信号のデコーデイングを信頼性を以て遂行するのを困難にする。
【０００３】
マンチェスターコード化は、データ伝送分野及び遠隔測定分野に広く使用される技術であって、マンチェスターコード化データ流となるコード化する信号内の中点遷移の方向によってコード化される信号のデータの状態を定義する。マンチェスターコード化データ流は、等しい持続時間の時間的逐次「セル」を有する。各セルの中点で、データは、コード化される信号の状態を表示する方向に状態を変化させる。
【０００４】
それゆえ、例えば、高論理状態から低論理状態への遷移は、コード化される信号が低論理状態にあることを表示する。他方、低論理状態から高論理状態への遷移は、コード化される信号が高論理状態にあることを表示する。もちろん、各セルの終端点でマンチェスターコード化データ流を形成することになる信号の状態は、次の中点遷移を可能にするようにセットアップ、すなわち、確立されなければならない。それゆえ、もし論理０をコード化しようとするならば、マンチェスターコード化データ流を形成することになる信号は、高論理状態から低論理状態への中点遷移を実現できるように、初頭高論理状態になければならない。代わって、もし論理１をコード化しようとするならば、マンチェスターコード化データ流を形成することになる信号は、低論理状態から高論理状態への中点遷移を実現できるように初頭低論理状態になければならない。
【０００５】
したがって、もし同じ論理状態の一連の論理状態をコード化するならば、結果のマンチェスターコード化信号は、セルの長さに等しい周期の１つの方形波であることが判る。他方、もし一連の交互の論理１と論理０をコード化しようとするならば、結果のマンチェスターコード化信号はセルの長さの２倍に等しい周期の方形波である。
【０００６】
マンチェスターコード化データの種々のデコーディング方法が提案されている。１つの普及している技術は、位相ロックループ回路を使用することである。しかしながら、実際には、ときにはマンチェスターコード化信号は、１０データセル、これに続く短休止時間、及びこれに更に続く実データのような、「目覚まし」系列を発生するように書式化される。目覚まし系列は非常に短く、僅か１０データセルであるので、位相ロックループ回路はロックしないかも知れず、短休止時間中ドリフトするかも知れない。それゆえ、この場合、普通使用される位相ロックループデコーデイング技術を使用することができない。
【０００７】
他のデコーディング技術は、アナログ整合フィルタ、ディジタル整合フィルタ、集中（ｉｎｔｅｇｒａｔｅ）方式又はダンプ方式、及び高度オーバサンプルディジタル信号処理技術を採用する。長同期時間及び高コンポーネントカウントは、これらの方式のほとんどの使用を妨げる。
【０００８】
提案されている１つの方法は、許可信号を発生するためにマンチェスターコード化波形内のセル中点遷移に応答するゲーティング回路を採用する。許可信号は、クロック回路に高周波クロックパルスを発生させ、このクロックパルスがプログラマブルカウンタ内に蓄積される。もしカウンタのカウントが後続の許可信号の開始前にクロックカウントしきい値を超えるならば、記憶素子にコード化波形をサンプルさせかつ記憶させる。
【０００９】
【発明が解決しようとする課題】
したがって、上述に照らして、本発明の目的は、マンチェスターコード化データデコーディング及びタイミング回復のための改善された装置及び方法を提供することにある。
【００１０】
本発明の他の目的は、入力信号の性質に応じて、種々の動作モードを用意する上に挙げた型式の改善された装置及び方法を提供することにある。
【００１１】
本発明の他の目的は、マンチェスターコード化データの所定系列が受信されるまで出力を発生しない［目覚まし」動作モードを有する上に説明した型式の改善された装置及び方法を提供することにある。
【００１２】
本発明の他の目的は、マンチェスターコード化データを受信しない所定休止時間間隔が起こることがあり、この時間間隔中装置のバイアスを維持する「ホールド」動作モードを有する上に説明した型式の改善された装置及び方法を提供することにある。
【００１３】
発明のこれらの目的、特徴、及び利点は、添付図面及び上掲の特許請求の範囲と関連して、後掲の本発明の詳細な説明から技術の習熟者に明らかになるであろう。
【００１４】
【課題を解決するための手段】
本発明の全般的態様によれば、マンチェスターコード化データ流デコーディング装置が提供される。この装置は、マンチェスターコード化データ流の遷移が検出されるとき遷移表示出力を発生するようにマンチェスターコード化データを受信する遷移検出器を含む。また、遷移表示出力が発生された後の所定時刻に出力制御パルスを発生する回路を備える。サンプリングフリップフロップがマンチェスターコード化データ流を受信し、かつ出力制御パルスが発生されるときマンチェスターコード化データの状態を出力するように出力制御パルスによって制御される。
【００１５】
好適実施例においては、サンプリングフリップフロップは、マンチェスターコード化データ流の２進非零復帰波形を発生するように動作する。遷移検出器は、その遷移表示出力をクロックパルス流のパルスと同期させるように構成される。またマンチェスターコード化データの第１シンボル又は第２シンボルのどちらかを選択してこれをラッチしかつこの装置から出力する位相選択器を含む。
【００１６】
本発明の他の全般的態様によれば、入力信号内のマンチェスターコード化データ目覚まし系列に応答して休止状態からマンチェスターコード化データ検出器の動作を開始させる目覚まし回路が備わる。この回路は低域通過フィルタ及びホールド回路を含み、ホールド回路は初期的にオフであり、マンチェスターコード化データ検出器が休止状態にあるとき入力信号を受信する。低域通過フィルタは、入力信号の平均値に相当する出力信号を発生する。オフセット回路は、初期的にオンであって基準電圧を発生するために低域通過フィルタ出力信号をシフトさせる。比較器は、基準電圧と入力信号との間の差に相当するデータ出力信号を発生する。第１所定時間の後にホールド回路を選択的にオンにスイッチし、第２所定長時間の後にホールド回路をオフしかつオフセット回路をオンし、及びどの遷移であってもその直後にホールド回路をオフする回路が備わる。差働増幅器は増幅した入力信号を発生する。また、オフセット回路をオフへ選択的にスイッチするために比較器のデータ出力信号内でそれぞれの所定状態を取って所定数のデータセルが逐次受信されたかどうかを判定する回路が備わる。
【００１７】
目覚まし回路もまた、反転入力と非反転入力、及び出力を有する差働増幅器を含むことがある。また、比較器は、反転入力と基準電圧との間に接続された第１コンデンサ、及び非反転入力と基準電圧と間に接続された第２コンデンサを含むことがある。第１抵抗器は入力信号と反転入力との間に接続されることがあり、それであるから非反転入力の電圧は入力信号の平均値に相当する。
【００１８】
オフセット回路もまた、差働増幅器の反転入力と基準電圧との間に接続された第１抵抗器、及び非反転入力と入力信号との間に接続された第２抵抗器を含むことがある。スイッチがオフセット回路をターンオンするために第１抵抗器と直列に接続されることがあり、それであるから反転入力の電圧は入力信号の平均値とオフセット電圧との和に相当する。差働増幅器の出力は、第１スイッチが閉じているとき入力信号パルスオフセット電圧の平均値と入力信号との間の差に相当するデータ出力信号を発生する。
【００１９】
比較器は、また、第１抵抗器と直列に接続された第２スイッチを含むことがあり、それであるから第２スイッチが閉じかつ第１スイッチが開いているとき差働増幅器の出力は、入力信号と入力信号の平均値との間の増幅された差を発生する。
【００２０】
本発明のなお他の全般的態様によれは、マンチェスターコード化データの非零復帰２進表現を発生するマンチェスターコード化データデコーディング方法が提供される。この方法は、マンチェスターコード化データの各遷移毎にパルスを発生するステップ、マンチェスターコード化データの各遷移毎に発生する前記パルスと時間的に位相を合わせてサンプリング信号を発生するステップを含む。次のステップで、サンプリング信号の各発生の際にマンチェスターコード化データをラッチし、ラッチしたデータを出力としてを発生する。更にこれに続くステップで、雑音に対する強化余裕度を達成しながらマンチェスターコード化データを受信するように適応しきい値検出を使用する。１実施例においては、適応しきい値検出を使用するステップは、「定常状態」動作モード及び「オフセット」動作モードのような、複数の動作モードをデコーディング装置のデータ入力回路に提供する。１実施例においては、「目覚まし」動作モードを提供する。
【００２１】
本発明のなお他の全般的態様によれば、タイミング回復及びマンチェスターコード化データデコーディングシステムが提供される。このシステムは、出力パルスを供給する発振器、及びマンチェスターコード化データ信号を含むことがある入力信号を受信しかつデータを含む信号を出力するように接続された多モード入力回路を含む。遷移検出器は、多モード入力回路の出力信号を受信し、マンチェスターコード化データの遷移（以下、マンチェスター遷移、又は単に遷移と称する）毎に遷移表示パルスを発生するように接続される。マンチェスター遷移検出器によって同期させられるカウンタが、所定カウントで発振器の出力パルスを分周して、マンチェスター遷移の後に所定数の発振器パルスを開始させる出力パルスを発生するように接続される。除数２分周回路が、カウンタからのパルスを受信してサンプル命令信号を発生するように接続される。サンプリング回路が、除数２分周回路の出力及びマンチェスターコード化データを受信して、除数２分周回路の出力に応答してマンチェスターコード化データの状態をラッチするように接続される。
【００２２】
１実施例において、タイミング回復及びマンチェスターコード化データデコーディングシステムがまた。モードデコーダを含むことがあり、このデコーダは論理ゲートアレー又はこれに類似の回路であって、カウンタの出力カウントを受信して、カウンタの出力カウントが予選択されたカウントに達すると出力を供給するするように接続される。また、モード制御回路が、モード検出器の出力の少なくとも或るのものを受信するように接続されることがあり、なお、モード制御回路は多モード入力回路のモードを選択的に制御するように接続される。
【００２３】
タイミング回復及びマンチェスターコード化データデコーディングシステムは、また、サンプリング回路によってラッチされたデータ及び遷移表示信号パルスを受信して、非零復帰出力データ信号及び出力タイミングパルスを発生し、及び、もし望まれるならば、出力タイミングパルスを発振器周波数の半サイクルだけ遅延させる回路を含むように接続される。
【００２４】
１実施例における多モード入力回路は、マンチェスターコード化データ流が処理されかつ２進非零復帰信号が出力に発生される「定常状態」動作モード、システムに「目覚まし」をさせかつ「定常状態」動作モードを再開させるために目覚ましマンチェスターコード化データ系列が起こることが必要である「オフセット」動作モード、及び、たとえ「定常状態」動作モードマンチェスターコード化データが受信されなくても装置のシステムバイアスを維持する「ホールド」モードを有する。
【００２５】
多入力モード回路は、反転入力と非反転入力とを備え、及び入力信号を非反転入力に接続する第１抵抗器を備える比較器、及び入力信号を比較器の反転入力に接続する第２抵抗器を含む。第３抵抗器は、その一端で比較器の反転入力に接続される。第１スイッチ機能が第２抵抗器と直列に接続され、かつ第２スイッチ機能が第３抵抗器の他の端と基準電圧との間に接続される。第１コンデンサが比較器の反転入力と接地との間に接続され、及び第２コンデンサが比較器の非反転入力と接地との間に接続される。第１スイッチ機能及び第２スイッチ機能は、モード制御回路によって制御される。
【００２６】
本発明のなお他の全般的態様によれば、マンチェスターコード化データ流内のデータセル（以下、マンチェスターセル又は単にセルと称する）の第２半部の状態に相当する非零復帰データ信号を発生する装置が提供される。この装置は、クロックパルス流を発生する発振器及びマンチェスターコード化データ流を受信するように接続されて各マンチェスター遷移において出力パルスを発生するパルス発生器を含む。除数ｎ分周カウンタが発振器からのクロックパルスによってクロック駆動されかつパルス発生器からのパルスによってリセットされるように接続され、除数ｎ分周カウンタは所定数のクロックパルスの後に状態を変化する出力を有する。タイミングフリップフロップが除数ｎ分周カウンタの出力によってクロック駆動され、かつ除数ｎ分周カウンタの出力の毎第２カウントに出力を発生するように接続される。サンプリングフリップフロップはデータ入力にマンチェスターコード化データ流を受信しかつクロック入力にタイミングフリップフロップの出力を受信するように接続される。サンプリングフリップフロップは、このフリップフロップがクロック駆動されるとき出力にマンチェスターコード化データ流のそのとき存在する状態を発生する。逐次カウンタがクロック入力に除数ｎ分周カウンタの出力を受信しかつリセット入力にパルス発生器の出力パルスを受信するように接続され、こうすることによって逐次カウンタはいつ２倍幅マンチェスターパルスが起こったかを表示する信号を発生し、この信号はタイミングフリップフロップをリセットするように接続される。
【００２７】
本発明の更に他の全般的態様によれば、マンチェスターコード化データ流内の各マンチェスターセルの既知の半部の状態に相当する非零復帰データ信号を発生する方法が提供される。この方法は、各マンチェスター遷移において遷移パルスを発生するステップ、マンチェスターコード化データ流内のマンチェスターセルの周波数のｎ倍の周波数を有する一連のタイミングパルスを発生するステップを含む。一連のタイミングパルスは各遷移パルスに応答して再開始され、かつマンチェスターセルの現行状態は各第ｍタイミングパルスが起こる際にラッチされ、ここにｍはｎ／２より大きい。これと同時にタイミングパルスがカウントされてタイミングパルスカウントを発生し、このカウントは各遷移パルスに応答して再開始される。もしタイミングパルスカウントがｎ／２より大きくなれば、ラッチ動作を進めて次の第（ｎ／２）タイミングパルスが起こる際にマンチェスターコード化データ流をラッチする。
【００２８】
本発明の更になお他の全般的態様によれば、マンチェスターコード化データ流内のマンチェスターセルの第２半部の状態に相当する非零復帰データ信号を発生する方法が提供され、この方法においてマンチェスターコード化データ流内のマンチェスターセルの周波数の２倍の周波数を有する一連のタイミングパスルが発生される。マンチェスターセルの現行状態が、各第２タインミングパルスの起こる際にラッチされる。マンチェスターコード化データ流内の２倍幅パルスの発生のみが検出され、ラッチ動作は２倍幅パルスが検出された後次に起こるタイミングパルスの際に開始するように再同期させられる。
【００２９】
【発明の実施の形態】
図１は、マンチェスターコード化データの例を示す。波形１０は等しい長さのマンチェスターセル１２〜２２の系列を有し、各セルは相当する２進データのビットを表現する。ことごとくのセルの中点に遷移があり、この中点はマンチェスターセルを２つの間隔、すなわち、２つのシンボルに分割する。遷移２５のような、正指向セル中点遷移は、２進の１を表現し、遷移２６のような負指向セル中点遷移は２進の０を表現する。
【００３０】
一定連の０又は一定連の１は、セル１２〜１５又はセル２０〜２２のような、シンボル時間に等しいパルス幅及びセル時間に等しい周期を持つ同等の方形波を発生する。これらの波形は、位相のみを異にする。これらの波形は、２つの隣接するシンボルが同じセル内にあるか又は隣接するセル内にあるかどうか、云い換えれば、遷移がセル中点にあるか又はセル境界にあるかどうかのような、他の情報がなければ、区別することができない。
【００３１】
一定連の１又は一定連の０と対照的に、１及び０の交互のマンチェスター表現は明瞭である。「１０」はセル１６及び１７によって表現されるように、２シンボル幅マンチェスター高状態を生じ、及び「０１」はセル１７及び１８によって表現されるように２シンボル幅マンチェスター低状態を生じる。これらの２倍幅パルスは常にセル境界を跨いで広がり、それゆえタイミング基準を指向させる基礎を提供し、本発明の１システム実施例の実現に使用される。いったんタイミング基準を確立すると、一定データを表現する単一幅パルスを正しくデコードすることができる。
【００３２】
マンチェスターコード化データデコーディングシステム４００の全般ブロック線図が図２に示されており、この図にはこのシステムの全体動作が図３に示された種々の波形と関連して図示されている。このシステムにとってのタイミングは発振器３５によって提供され、この発振器は図３に「ＳＣＬＫ」で指示されたクロックパルス流を発生する。ＭＤＡＴで指示された、デコードされるマンチェスターコード化データ信号は、入力線路８８を通してシステム４００に供給され、ＤＯＵＴで指示されたデコードされたデータ出力信号は、このシステムから線路２５５上へ出力され、及びＴＲＩＧで指示されたデコードされたタイミングパルスは線路２５７上へ出力される。
【００３３】
マンチェスターコード化データ信号ＭＤＡＴは、遷移で以てトリガされる単安定パルス発生器（以下、遷移検出器と称する）４５の入力に初めに接続され、遷移検出器４５は各正指向データ遷移又は各負指向データ遷移において単一出力パルスを発生し、この出力遷移表示信号は線路８３上にＭ２ＤＡＴで指示される。マンチェスターコード化データ信号ＭＤＡＴ及び遷移表示信号Ｍ２ＤＡＴの代表的波形を図３に示す。図３から観察できるように、データ信号ＭＤＡＴは発振器３５からのクロックパルスＳＣＬＫと必ずしも同期しないが、遷移表示信号Ｍ２ＤＡＴはデータ信号ＭＤＡＴの各遷移に存在する。
【００３４】
遷移検出器４５から線路８３へ出力される遷移表示信号Ｍ２ＤＡＴは除数５分周カウンタ７５をクリヤ又はリセットし、このカウンタは発振器３５から線路８７を通して供給されるクロックパルスＳＣＬＫによってクロック駆動されるように接続される。除数５分周カウンタ７５は各カウント毎の種々の分離出力を有し、カウント３に対する出力（以下、「カウント３出力」と称する、「カウント４」についても同様）はＤ形フリップフロップを含む除数２分周回路１０５に接続され、カウント４出力は遷移検出器４５をリセットするように帰還接続される。除数５分周カウンタ７５の出力は、マンチェスターコード化データ信号ＭＤＡＴの期待周波数の２倍の周波数を有する２ＸＣＫで指示された波形を有する。
【００３５】
定常動作中、除数２分周回路１０５は、検出されたマンチェスターセルの第２半部に相当する分周されたクロックパルス２ＸＣＫの各第２遷移においてＤ形フリップフロップを含むサンプリング回路１２０をクロック駆動する。除数２分周回路１０５の出力する分周されたクロックパルス２ＸＣＫがサンプリング回路１２０をクロック駆動するように接続されているので、除数２分周回路１０５からのサンプル命令信号ＳＳＭＳが負から正へ状態を変化させるとき、常にサンプリング回路１２０は線路８８上にそのとき存在するマンチェスターデータ信号ＭＤＡＴの状態をクロック駆動して線路２５５上のデコードされたデータ出力信号ＤＯＵＴを発生する。したがって、サンプリング回路１２０は線路２５５上に非零復帰データ出力信号ＤＯＵＴを発生し、これはサンプリング回路１２０がクロック駆動される各逐次時刻からのマンチェスターコード化データ信号ＭＤＡＴの状態をコピーする。
【００３６】
もし適当な同期措置を取らなかったとしたならば、システムが、分周されたクロックパルス２ＸＣＫのデータデコーディング系列であるがマンチェスターセルの第１半部のタイミングに相当するデコーディング系列の方にロックすることがあり得るであろう。それゆえ、除数５分周カウンタ７５からのカウント３出力が、また、逐次カウンタ４０２をクロック駆動するように接続される。逐次カウンタ４０２は、線路８３上の遷移表示信号Ｍ２ＤＡＴによってリセットされる前に分周されたクロックパルス２ＸＣＫの所定数の遷移をカウントするように動作する。例えば、図示された実施例において、逐次カウンタ４０２のカウント２出力が状態変化を生じる前に分周されたクロックパルス２ＸＣＫの２の遷移がカウントされる。したがって、逐次カウンタ４０２のカウント２出力信号は線路１０７上に同期パルスＤＢ２ＩＮＩを供給し、この信号はマンチェスターコード化データ内に２倍幅パルスが起こることを表示し、かつ除数２分周回路１０５をリセットするように働く。
【００３７】
図示された実施例において、上述したように、マンチェスターセルの第２半部をサンプルすることが望まれる。したがって、いつ２つの連続するパルス２ＸＣＫがデータ信号ＭＤＡＴパルスの単一状態中起こる（すなわち、中点遷移が期待されているが、しかし起こらない状態）かを検出することによってオリエンテーションプロセスが開始される。特に、図３を参照すると、パルス４０４又はパルス４２６のように、２つの連続パルス２ＸＣＫが「２倍幅」マンチェスターコード化データの状態を表示する中間マンチェスターコード化データパルス変化を伴うことなく起こるとき、常に線路１０７上の出力同期パルスＤＢ２ＩＮＩは状態を変化して除数２分周回路１０５をクリアし、このシステムを各マンチェスターセルの第２半部に同期させる。
【００３８】
例えば、示されているデータ信号ＭＤＡＴの第１パルス４０４は、この場合、デコードされるデータ信号ＭＤＡＴが表現するデータ値「０１」又は「１０」によって発生された「２倍幅パルス」である。２倍幅パルスは、そのそれぞれ正指向遷移及び負指向遷移において遷移表示信号Ｍ２ＤＡＴパルス４０６及び４０７を発生する。遷移表示信号Ｍ２ＤＡＴ第１パルス４０６は除数５分周カウンタ７５をリセットし、このカウンタはクロックパルスＳＣＬＫのカウントを進める。パルス４０６は、また、逐次カウンタ４０２もリセットする。カウント３出力上のパルス２ＸＣＫは、３つのクロックパルスが起こるまで、パルス４１０によって示されるように、低状態に留まり、３つのクロックパルスが起こったときにカウント３出力はセットされる。カウント３出力は、除数５分周カウンタ７５がカウント５に達するまで、パルス４１１によって示された２つの追加カウントにわたって高状態に留まる。
【００３９】
カウント５に達したときに、マンチェスターコード化データ信号ＤＭＡＴパルス４０４に状態変化が起こらないので、遷移表示信号Ｍ２ＤＡＴ内に遷移表示パルスは発生されてはおらず、それであるから除数５分周カウンタ７５は新データ系列のカウントを直ちに進める。３カウントのうちの第２カウントの後、除数５分周カウンタ７５の出力は、信号２ＸＣＫパルス４１４及び４１６によって示されるように、状態を変化する。更に、２つの連続するパルス２ＸＣＫの第２パルス４１６が起こるとき、マンチェスター遷移が欠けているために逐次カウンタ４０２はリセットされなかったので、同期パルスＤＢ２ＩＮＩが発生される。データ信号ＤＭＡＴ内のこのような２倍幅パルスに続いて、次に起こる状態変化は適正中点遷移であることが判る。それゆえ、同期パルスＤＢ２ＮＩＮが除数２分周回路１０５をリセットするとき、次のパルス２ＸＣＫが起こるのに応じて、除数２分周回路１０５は信号ＳＳＭＳをマンチェスターセルの第２半部内に確実にあるように発生して、サンプリング回路１２０をクロック駆動し、それによって、システムをその後に起こるマンチェスターセルの第２半部をサンプルするように同期させる。
【００４０】
更に特に、図示されているように、データ信号ＭＤＡＴパルス４０４に続いて、データ信号ＭＤＡＴは、分周されたクロックパルス２ＸＣＫ４１８中に起こる３つのクロックパルスＳＣＬＫについての次のカウントに先立ち、パルス４２６への中点遷移を経る。これが、遷移表示信号Ｍ２ＤＡＴパルス４０７を発生させ、このパルスが除数５分周カウンタ７５をリセットしかつ新カウントを開始させる。次に起こるパルス２ＸＣＫ４１９は、マンチェスターセルタイミングの第２半部中に起こるものであって、除数２分周回路１０５をクロック駆動し、この分周回路が立ち代わってサンプリング回路１２０をクロック駆動し、後者はそのときに存在するマンチェスターデータ信号ＭＤＡＴをサンプルしかつラッチする。
【００４１】
説明したパルス２ＸＣＫのタイミングはマンチェスターセルのタイミングの２倍であるが、各マンチェスターセルの第２半部中に起こる信号２ＸＣＫの特定パルスを選択するように分周回路を適当に調節するならば、どんな倍数ｎを選択してもよい。逐次カウンタによって行われるリセット動作も、ラッチング機能を活性化するパルスの適当な数、例えば、ｎ／２を選択するようにラッチ出力をリセットするように変化させてよい。
【００４２】
データが出力線路２５５上に発生されるのと同時に、線路８７上のクロックパルスＳＣＬＫと同期させられるトリガパルスが線路２５７上に発生され、ＴＲＩＧで指示される。トリガパルスＴＲＩＧのサンプル命令信号ＳＭＭＳの立上がり縁に対する関係は、図３で見ることができる。
【００４３】
図２を参照して説明されたシステムと類似のマンチェスターコード化データデコーディングシステムが図４に示されており、この図を参照していまから説明する。図４に示されたシステム４３０は、追加の短休止時間検出特徴及び長休止時間検出特徴、及び短休止時間レジスタ４３１及び長休止時間レジスタ４３２によって提供される長期休眠能力及び目覚まし能力を有する。短休止時間レジスタ４３１及び長休止時間レジスタ４３２は、入力マンチェスターコード化データ状態調整（ｃｏｎｄｉｔｉｏｎｉｎｇ）回路（以下、多モード入力回路又は単に入力回路と称する）４１のしきい値を調節しかつマンチェスターコード化データが所定時間長にわたって検出されないときシステム４３０の出力を使用禁止するように働く。システム４３０の短時間検出特徴及び長休止時間検出特徴を下に詳細に説明する。
【００４４】
更に、図４のシステム４３０は、長休止時間レジスタ４３２及び分離目覚ましカウンタ１６５によって提供される休眠及び目覚まし特徴を含む。休眠及び覚まし特徴の動作を下に詳細に説明する。
【００４５】
図５は、本発明の好適実施例によるタイミング回復及びマンチェスターコード化データデコーディングシステム３４のより詳細なブロック図を示す。５０ｋＨｚ自走発振器３５は、システムの残りの部分にベースタイミング基準を供給する。発振器３５は、標準構成のものでよく、その１実施例の詳細が図６に示されている。発振器３５は離散論理構成要素で構成されているように示されているが、この発振器の機能を周知の表面波（ＳＡＷ）デバイス、又は他の適当な発振デバイスもしくは発振回路（図示されていない）によって提供することがきる。
【００４６】
図５を参照すると、デコードされるマンチェスターコード化データ流を含むことがある入力信号は入力線路４０を通して多モード入力回路４１に接続され、入力回路４１はその出力（すなわち、データ信号ＭＤＡＴ）を線路４２を通して遷移検出器４５に供給する。（図示の実施例においては、下に詳細に説明される試験モード制御回路５５を具備し、この回路はタイミング回復及びマンチェスターコード化データデコーディングシステム３４の残りの部分に入力信号又は試験信号のどちらを印加するか制御する。次いで、試験モード制御回路５５の出力は、遷移検出器４５へ送出される）。
【００４７】
多モード入力回路４１は、図示のように反転入力及び非反転入力を有する比較器４６を有する。入力信号は第１抵抗器４７によって非反転入力に接続され、及び第２抵抗器４８によって反転入力に接続される。第１スイッチ５０は、抵抗器４８と直列に接続され、下に詳細に説明されるモード制御回路１６０によって制御される。第１スイッチ５０は物理的スイッチ、すなわち、既知のスイッチ機能態勢に接続されたトランジスタであってもよいが、その目的は入力信号を比較器４６の反転入力に選択的に印加することである。したがって、この選択電圧印加を遂行するために等価電子回路を採用してもよく、その１例は、図１９に示された多モード入力回路４１の１実施例に示された転送ゲート２８３である。
【００４８】
第３抵抗器５６が比較器４６の反転入力と第２スイッチ５８との間に接続され、このスイッチもまたモード制御回路１６０によって制御される。スイッチ５８は、図のＶCCのような基準電圧に接続される。やはり、スイッチ５８も、物理的スイッチ、すなわち、既知のスイッチ機能態勢に接続されたトランジスタであってもよいが、その目的は電圧ＶCCを比較器４６の反転入力に選択的に接続することである。したがって、この選択電圧印加を遂行するために等価電子回路を採用してもよく、その１例は、図１９に示された多モード入力回路４１の１実施例に示された電流源２８０とミラー回路２８１である。２つのコンデンサ６０及び６１が、比較器４６の反転入力と非反転入力との間、及び非反転入力と接地との間に、それぞれ、接続される。
【００４９】
遷移検出器４５は、マンチェスター遷移毎に、それが正又は負であろうと、正のマンチェスター遷移表示信号Ｍ２ＤＡＴパルスを発生するものであって、多モード入力回路４１の出力を線路４２を通して、図７に示されたように、Ｄ形フリップフロップ６４の入力に受信する。発振器３５から線路８７を通して供給されるクロックパルスはＤ形フリップフロップ６４をクロック駆動し、フリップフロップ６４の出力は排他的ＯＲゲート６５の１つの入力に接続される。排他的ＯＲゲート６５の出力は、ＮＡＮＤゲート６６の１つの入力に接続され、ＮＡＮＤゲート６６の出力はフリップフロップ６７の１つの入力に接続され、フリップフロップ６７はＮＡＮＤゲート６８及び６９を含む。
【００５０】
フリップフロップ６７の他の入力は、下に詳細に説明される除数５分周カウンタ７５から線路７１を通して信号を受信することによって、確実に、遷移検出器４５が２つの遷移の第２のものに応答しないようにする。これら２つの遷移は、所定数のクロックパルス未満に相当する時間、例えば、約６０から８０ミリ秒だけ隔てられている。フリップフロップ６７の出力は、インバータ７７、７８、及び抵抗器７９を経由してＮＡＮＤゲート６６の第２入力に接続される。コンデンサ８１は、インバータ７８と接地との間に接続されて、抵抗器７９と一緒に低域通過フィルタを構成する。
【００５１】
ＮＡＮＤゲート６６の出力はインバータ８４に接続され、後者は、入力線路４２上に正遷移又は負遷移が起こるとき、常に、線路８３上に、例えば、約１２ナノ秒長の遷移表示信号Ｍ２ＤＡＴ正パルスを発生するように動作する。線路８５上には「Ｍ２ＤＡＴＺ」で指示された反転出力が発生する。第１マンチェスターシンボル又は第２マンチェスターシンボルのどちらかが、下に詳細に説明されるマンチェスター遷移カウンタ、すなわち、除数５分周カウンタ７５によって選択されることがある。カウンタ７５は、発振器３５によってクロック駆動され、かつマンチェスター遷移表示信号Ｍ２ＤＡＴパルスによって表示されるように、線路８５上のマンチェスター遷移が起こる際にリセットされる。
【００５２】
図８に適当な除数５分周カウンタ７５の詳細が示されており、この図において発振器３５からのクロックパルスは入力線路８７上に供給され、遷移検出器４５の出力は線路８５上に供給される。除数５分周カウンタ７５は３つのＤ形フリップフロップ９０、９１、及び９２を有し、これらはそれぞれのクロック入力に線路８７を通してクロックパルスを受信しかつそれぞれのクリヤ入力又はリセット入力にマンチェスター遷移表示信号Ｍ２ＤＡＴＺを受信する。第１Ｄ形フリップフロップ９０の出力は第２Ｄ形フリップフロップ９１のデータ入力に接続され、第２、第３Ｄ形フリップフロップ９１、９２の出力はＮＯＲゲート９４を介して第１Ｄ形フリップフロップ９０の入力に接続される。加えて、第２、第３Ｄ形フリップフロップ９１、９２の出力は、ＮＡＮＤゲート９６の入力に接続され、第２Ｄ形フリップフロップ９１の出力はインバータ９８によって反転される。
【００５３】
除数５分周カウンタ７５はモジュロ５クロックパルスカウンタであって、これにより線路１００上に分周されたクロックパルス２ＸＣＫが供給されるのは、カウンタ７５が線路８５上にマンチェスター遷移表示信号Ｍ２ＤＡＴＺパルスが起こることよってリセットされてから発振器３５によって線路８７上に３つのクロックパルスＳＣＬＫが発生された後である。もしマンチェスター遷移によるカウンタ７５のリセット動作がないならば、線路１００上の分周されたクロックパルスは単にクロックパルスの周波数を５で除した周波数を有する。出力線路７１上の信号は、線路８５上のマンチェスター遷移によるリセット動作に続く毎４カウントの後に起こり、上述したように、遷移検出器４５のフリップフロップ６７の入力に帰還接続される。
【００５４】
注意を要するのは、ここに説明した本発明の特定システム実施例は、除数５分周カウンタ７５が発生する４遅延カウントで決定される各マンチェスターセルの第２シンボルをサンプルしかつラッチすることによってマンチェスターコード化データをデコードすることである。マンチェスターコード化データの第１シンボルをサンプルし、ラッチした後、異なる遅延カウントを選択し、次いでデータを反転することによって、第１シンボルをデコードすることもできる。
【００５５】
カウンタ７５から線路１００上に供給される分周されたクロックパルスは、除数２分周回路１０５の入力に接続され、この回路の詳細は図９に示されている。除数２分周回路１０５は、Ｄ形フリップフロップ１０６を含み、このフリップフロップはそのクロック入力に線路１００を通してカウンタ７５からの分周されたクロックパルス２ＸＣＫを受信し、そのリセット入力は下に詳細に説明されるモードデコーダ１１０からのリセット信号を線路１０７を通して受信するように接続される。Ｄ形フリップフロップ１０６の出力は、ＮＡＮＤゲート１１２によって反転され、かつ後者の入力に接続される。ＮＡＮＤゲート１１２の他の入力は、モードデコーダ１１０からの信号を線路１１３を通して受信するように接続され、この信号は線路１００上の分周されたクロックパルスの３つの連続する周期中マンチェスター遷移がなかったことを表示する。線路１１３上の信号は、インバータ１１４によって反転される。
【００５６】
動作中、除数２分周回路１０５は、線路１００上の分周されたクロックパルス２ＸＣＫを２で分周して、出力線路１１７上にサンプル命令信号ＳＳＭＳを発生する。これから明らかになるように、線路１００上の分周されクロックパルスの２つの正縁が線路８５上のどれか２つの逐次マンチェスター遷移表示信号Ｍ２ＤＡＴパルス間で起こったとき、リセット信号が線路１０７上に発生される。遷移は各マンチェスターセルのシンボル間で起こらなければならないので、もし線路１００上の分周されたクロックパルスの２つのカウントがマンチェスター遷移間で起こったならば、第２カウントによって発生されたリセット信号は、確実に、このシステムをマンチェスターセルの正しいシンボルに同期させ、かつ２倍幅パルスが起こっている（例えば、図１の２倍幅パルス２７と比較されたい）。２倍幅パルスは線路１００上の分周されたクロックパルス２ＸＣＫの２つの前縁と常に重なり、これに反して単一幅パルスは１つの前縁とのみ常に重なる。線路１０７上のリセット信号はＤ形フリップフロップ１０６をリセットするので、除数２分周回路１０５の動作は、このシステムを、線路１００上の分周されたクロックパルスの次のカウントパルスが起こる際に正しいマンチェスターシンボルを検出しかつその後１つ置きにシンボルを検出するように、自動的に同期させる。
【００５７】
Ｄ形フリップフロップ１０６がリセットされた後、線路１００上の分周されたクロックパルスの次の正縁が線路１１７上のサンプル命令信号を高状態へ指向させ、サンブリング回路１２０（下で説明される）を作動させて、第２マンチェスターシンボル中、受信マンチェスターコード化データをサンプルさせる。もし線路１００上の分周されたクロックパルスの３つの連続する周期中にマンチェスター遷移がないならば、線路１１３に出力された信号が高状態へ指向して、ＮＡＮＤゲート１１２の出力を高状態へ指向させる。これが、線路１００上の分周されたクロックパルスの次の正縁が起こる際に線路１１７上のサンプル命令信号を高状態へ指向させる。マンチェスター遷移が再び開始すると、Ｄ形フリップフロップ１０６は、セットアップされてマンチェスターセルの第２半部をサンプルするが、これは、線路１００上の分周されたクロックパルスの第１正縁が線路１１７上のサンプル命令信号をその低状態へクロック駆動するからである。線路１００上の分周されたクロックパルスの次の正縁は、サンプル命令信号を高状態へクロック駆動し、これがサンプリング回路１２０に現行マンチェスターコード化データをサンプルさせる。
【００５８】
図５に示されたサンプリング回路１２０は、図示の実施例ではＤ形フリップフロップ１２１である。マンチェスターコード化データ信号ＭＤＡＴを含む信号は、このフリップフロップのデータ入力に接続され、かつこのフリップフロップの出力は下に説明される出力制御回路１２５に接続される。各マンチェスターセルの第２シンボルの周波数及び位相のサンプリングパルスで以てサンプリングＤ形フリップフロップ１２１をクロック駆動することによって、フリップフロップ１２１は線路２５０上のマンチェスターコード化データ信号ＭＤＡＴを正しくサンプルしかつラッチする。この点で注意を要するのは、ラッチされたマンチェスターコード化データの論理レベルはサンプル間で一定であるので、結果のデータは図１に波形３０によって示された、コード化データの２進非零復帰表現であることである。
【００５９】
上に論じたように、線路１００上の１つ置きの分周されたクロックパルスを選択することによって、サンプリングパルス波形にとって正しい周波数が得られる。しかしながら、初期化が行われないならば、サンプリングパルスがマンチェスターセルの第２シンボルでなく第１シンボルに整列する可能性も同等の公算であり、後者の場合ならば、デコードされたデータは反転されるであろう。適正な整列は、モードデコーダ１１０によって決定され、この回路は２倍幅マンチェスター波形の存在を検出する。モードデコーダ１１０の詳細は、図１０に示されている。
【００６０】
一般に、モードデコーダ１１０は、下に説明されるパルス発生器１３０からのカウントをデコードし、かつ本質的に論理ゲートアレーであって、種々の入力カウント組合わせに対して既知の論理状態の出力を線路１３２〜１３６及び１０７上に供給する。モードデコーダ１１０は、４つの入力ＮＡＮＤゲート１４０〜１４３を有し、これらはパルス発生器１３０の出力を線路１８０〜１８８を通して受信する。
【００６１】
ＮＡＮＤゲート１４０及び１４１は、それらの入力にパルス発生器１３０の出力を線路１８１〜１８５を通して受信する。ＮＡＮＤゲート１４０及び１４１の出力はＮＯＲゲート１５０の入力に接続され、後者は線路１３２上に出力を発生し、この出力は、線路１８０〜１８５上のカウント信号が全て高状態のとき、線路１００上の分周されたクロックパルスのカウント数６３に際して高状態へ指向する。出力線路１３２上の信号は、下に説明されるように、パルス発生器１３０の入力を禁止するように働く。
【００６２】
ＮＯＲゲート１５３は、そのそれぞれの入力にＮＡＮＤゲート１４２及び１４３の出力を受信するばかりでなく、線路１８５に接続された入力を有し、かつ線路１５４上に出力を発生して、線路１００上の分周されたクロックパルスの３カウントを表示する。線路１５４はインバータとして働くＮＡＮＤゲート１５５の両入力に接続され、かつＮＯＲゲート１５６及び１５７によって構成されるフリップフロップ１６１の１つの入力に接続され、第３カウントが起こったとき、このフリップフロップをセットする。線路１３３上のＮＡＮＤゲート１５５の出力は、線路１００上の分周されたクロックパルスの３カウントの際に低状態へ指向し、かつ、下に説明されるように、遷移カウンタ１６５をクリヤするのに使用される。したがって、線路１３４上のフリップフロップ１６１の出力は線路１００上の分周されたクロックパルスの３カウントの際に高状態へ指向し、かつ上に説明されたように、除数２分周回路１０５（図９）のＮＡＮＤゲートを使用許可するように働く。
【００６３】
ＮＯＲゲート１５６及び１５７を含むフリップフロップ１６１の他の入力は、遷移検出器４５（図７）からの遷移表示信号Ｍ２ＤＡＴを線路８３を通して受信するように接続される。遷移表示信号Ｍ２ＤＡＴを受信すると、フリップフロップ１６１はリセットされ、線路１３３上の出力状態を高状態へ復帰させ、かつ線路１３４上の出力状態を低状態へ復帰させる。
【００６４】
ＮＡＮＤゲート１４３の出力ばかりでなく、線路１８５上の信号がＮＯＲゲート１５９の入力に接続される。ＮＯＲゲート１５９の出力ばかりでなく、線路１８１上の信号がＮＡＮＤゲート１６２の入力に接続され、ＮＡＮＤゲート１６２は線路１０７上に出力を発生し、これが線路１００上の分周されたクロックパルスの２カウントの際に低状態へ指向する。線路１０７上の信号は、図９の除数２分周回路１０５のＤ形フリップフロップ１０６をリセットするように働く。下に詳細に説明される遷移カウンタ１６５のから線路１６６上に発生される出力信号は、インバータ１６７によって反転されて出力線路１３６上に供給され、これが、下に説明されるモード制御回路１６０のＤ形フリップフロップ１３５をリセットする。
【００６５】
線路１００上の分周されたクロックパルスのカウントをモードデコーダ１１０に供給するパルス発生器１３０は、図１１に詳細に示されている。パルス発生器１３０は、リプルカウンタとして接続された６つのＤ形フリップフロップ１７０〜１７５を含む。線路１００上の分周されたクロックパルス及び（図１０に示されたモードデコーダ１１０のＮＡＮＤゲート１５０からの）線路１３２上のカウントが６３に達したことを表示する信号がＯＲゲート１７７の入力に印加される。パルス発生器１３０は、線路８５上のマンチェスター遷移表示信号Ｍ２ＤＡＴＺによってリセットされ、かつＯＲゲート１７７によって使用許可される線路１００上の分周されたクロックパルスによってクロック駆動される。上に説明されたように、パルス発生器１３０の出力は線路１８０〜１８８上に発生され、モードデコーダ１１０へ供給される。
【００６６】
パルス発生器１３０の動作は、線路８５上に現れるマンチェスター遷移表示信号パルス間で起こる線路１００上の分周されたクロックパルスの数をカウントすることである。線路８５上のマンチェスター遷移表示信号パルスは、パルス発生器１３０を全「１」初期状態へプリセットし、その後線路１００上の分周されたクロックパルスが逐次にカウントされる。もしカウント６４に達したならば、線路１３２上のモードデコーダ１１０からの信号が高状態へ指向して、次のマンチェスター遷移表示信号パルスが起こるまで更にクロック駆動するのを禁止する。
【００６７】
追加の制御信号がモード制御回路１６０によって発生され、この回路の詳細は図１２に示されている。モード制御回路１６０は、図１３のモードデコーダ１１０の出力を線路１３２を通して受信するように接続されたＤ形フリップフロップ１３５を含む。線路１３２上の信号は、線路１００上の分周されたクロックパルスのカウントが６４に達したことを表示する。Ｄ形フリップフロップ１３５は図１３のモードデコーダ１１０から線路１３６上へ発生される出力によってリセットされように接続され、この出力は下に説明される遷移カウンタ１６５から線路１６６上に発生される反転出力を表示する。Ｄ形フリップフロップ１３５は、ＯＲゲート２３５を経由して供給される線路１００上の分周されたクロックパルスによってクロック駆動されるように接続される。Ｄ形フリップフロップ１３５の出力は、ＯＲゲート２３５の第２入力に接続されることによって、この出力が高状態のとき線路１００上の分周されたクロックパルスを禁止する。
【００６８】
Ｄ形フリップフロップ１３５の反転出力はＮＡＮＤゲート２３６の１つの入力に接続され、後者の線路２３８上の出力信号は入力回路４１のスイッチ５０を制御するのに使用される。スイッチ５０は、マンチェスターデコーディングシステム３４の動作モードを制御する。ＮＡＮＤゲート２３６の他の入力は、図１０に示されたモードデコーダ１１０の出力を線路１３４を通して受信するように接続される。線路１３４上の信号は、線路１００上の分周されたクロックパルスの第３カウントが起こった後に高状態へ指向する。
【００６９】
Ｄ形フリップフロップ１３５の反転出力は、ＮＡＮＤゲート２４０及び２４１を含むフリップフロップをセットするように接続される。このフリップフロップは、線路１００上の分周された８クロックパルスのカウントに相当する、パルス発生器１３０から線路１８７上に出力された信号によってリセットされる。このフリップフロップの出力はＮＯＲゲート２４２の１つの入力に接続され、このＮＯＲゲートはその第２入力に線路１３４上の信号を受信するように接続される。
【００７０】
線路２４４上の出力使用許可信号は、下に説明される出力制御回路１２５を使用許可するように接続される。それゆえ、動作中、モード制御回路１６０は、線路２４４上の出力使用許可信号が高状態に指向するのを防止しかつ線路１００上の分周されたクロックパルスの８カウントに相当する短休止時間の後まで出力制御回路１２５の出力を使用許可する。
【００７１】
モードデコーダ１１０の説明と一緒に上で述べた遷移カウンタ１６５が、図１３に示されており、３つのＤ形フリップフロップ１９０〜１９２を有する。第１Ｄ形フリップフロップ１９０は、モード制御回路１６０の出力信号ＬＤＴ．Ｂが低状態に留まっているならば、サンプリング回路１２０が線路２５０に出力するマンチェスターコード化データの状態の変化によってクロック駆動される。信号ＬＤＴ．Ｂが高状態へ指向するとき、ＯＲゲート１９５が更に遷移表示信号を通過させるのを禁止する。第１Ｄ形フリップフロップ１９０の出力は、第２Ｄ形フリップフロップ１９１のクロック入力に接続されるばかりでなく、３入力ＮＯＲゲート１９６の第１入力に接続される。第１Ｄ形フリップフロップ１９０の反転出力は、そのデータ入力に接続される。
【００７２】
第２Ｄ形フリップフロップ１９１は、同様に、その反転出力をその入力に接続され、その出力をＮＯＲゲート１９６の第２入力に接続され、及び第３Ｄ形フリップフロップ１９２のクロック入力に接続される。同様に、第３Ｄ形フリップフロップ１９２は、その反転出力をその入力に接続され、しかしながらその反転出力をまた３入力ＮＯＲゲート１９６の第３入力に接続される。
【００７３】
３つのＤ形フリップフロップ１９０〜１９２は、モードデコーダ１１０（図１０）から線路１３３上に発生された信号によってリセットされる。この信号は、上述のように、線路１００上の分周されたクロックパルスの第３カウントの際に低状態へ指向する。それゆえ、遷移カウンタ１６５は、サンプルされたマンチェスターコード化データの４つの正縁をカウントするように働き、かつ長休止時間間隔の後、システムに「目覚まし」させるように動作する。回路の目覚まし特徴は下に詳細に説明するが、簡単に云うと、もし線路１３３上のリセット信号が起こる前にカウント４に達するならば、線路１６６上の信号は高状態へ指向して、下に説明するように、システムの残りの部分を目覚ましさせる。
【００７４】
遷移カウンタ１６５の入力に線路２５０を通して入力される２進非零復帰信号は、また、出力制御回路１２５の入力に印加され、この回路の詳細は図１４に示されている。出力制御回路１２５は、サンプリングＤ形フリップフロップ１２１からのデコードされた２進非零復帰信号をその使用許可ＡＮＤゲート２５２の入力に受信し、ゲート２５２の出力を出力バッファ２５３によってバッファしてデータ出力線路２５５上にデコードされたデータ出力信号ＤＯＵＴを供給する。ＡＮＤゲート２５２は、図１２を参照して上に説明したモード制御回路１６０のＮＯＲゲート２４２の出力から線路２４４に発生された出力使用許可信号によって使用許可される。
【００７５】
線路２５７上のトリガパルス、すなわち、タイミングパルスＴＲＩＧは使用許可ＡＮＤゲート２６０によって発生され、このゲートの出力は出力バッファ２６１によってバッファされる。ＡＮＤゲート２６０は、また、モード制御回路１６０のＮＯＲゲート２４２から線路２４４上には発生された出力使用許可信号によって使用許可される。ＡＮＤゲート２６０の他の入力には、発振器３５から線路８７へ発生されかつ半サイクル遅延されたクロック信号が供給される。線路８７上のクロック信号はインバータ２６５によって反転されて、図９を参照して上に説明した除数２分周回路１０５によって線路１１７上に発生されたサンプル命令信号をクロック駆動してＤ形フリップフロップ２６８へ入力させる。
【００７６】
線路８７上のクロックパルスの半サイクル遅延がＤ形フリップフロップ２７０によって発生され、このフリップフロップはそのデータ入力にＤ形フリップフロップ２６８の出力を受信しかつそのクロック入力に線路８７を通してクロックパルスを受信する。Ｄ形フリップフロップ２７０の出力はＮＯＲゲート２７１の１つの入力に接続され、このゲートの出力はＡＮＤゲート２６０に接続される。ＮＯＲゲート２７１の他の入力は、インバータ２７２によって反転されたＤ形フリップフロップ２６８の出力を受信する。
【００７７】
線路２５７上に発生されたタイミングパルスＴＲＩＧは、除数２分周回路１０５の出力側の線路１１７上のサンプル命令信号（またしたがって線路２５０上の２進非零復帰信号）の状態変化から、線路８７上のクロックパルスの半周期だけ遅延させられる。この遅延は、例えば、約１０マイクロ秒台でよい。この場合、この出力タイミングパルスの幅もまた、線路８７上のクロックパルスの半周期、約１０マイクロ秒である。
【００７８】
線路２５５上のデコードされたデータ出力信号ＤＯＵＴの波形及び線路２５７上のタイミングパルスＴＲＩＧは、線路２５７上のタイミングパルスが線路１００上の分周されたクロックパルスの半周期だけ遅延させられていることを除き、サンプリング回路１２０の出力２進非零復帰信号及び除数２分周回路１０５の出力信号の、それぞれ、コピーである。
【００７９】
下に説明される回路の定常状態動作と対照的に、タイミング回復及びマンチェスターコード化データデコーディングシステム３４は、試験モードを用意しており、試験モードでは試験信号を試験モード制御回路５５を経由してその回路に印加することできる。それゆえ、システム３４は、通常、詳細を図１２に示されたモード制御回路１６０の制御の下に、その多モード入力回路４１にマンチェスターコード化データ信号ＭＤＡＴを受信する。しかしながら、試験モードを実行するためには、多モード入力回路４１の出力を、図１５で、線路４２を通してＮＡＮＤゲート２１０の入力、ＮＯＲゲート２１１の入力、及びマルチプレクサ２１２の入力に接続する。ＮＡＮＤゲート２１０の出力及びＮＯＲゲート２１１の出力は、インバータ２１４及び２１５によって、それぞれ、反転され、所望試験目的又は監視目的に使用される。
【００８０】
マルチプレクサ２１２は、上に論じたように、通常、マンチェスターコード化データを含む信号を線路４２を通して受信しかつその出力を線路８８を通してシステムの残りの部分に供給する。しかしながら、もし高状態試験使用許可信号が試験使用許可線路２２０に印加されるならば、線路２２１に印加されているマンチェスターコード化データを含む試験信号が出力線路８８へ供給される。
【００８１】
上述のように、タイミング回復及びマンチェスターコード化データデコーディングシステム３４は、入力信号に含まれたマンチェスターコード化データによって確立された条件に従って、３つの動作モードを有する。これら３つの動作モードは、入力信号の特性及び性質に従って、動作の適応しきい値検出方式を用意する。第１動作モードは、上述のように、「定常状態」動作モードであり、この動作モードでマンチェスターコード化データを含む信号が処理されかつ出力２進非零復帰信号が発生される。第２動作モードは「オフセット」動作モードであって、この動作モードでシステム３４は「休眠」しており、休眠中システム３４に「目覚まし」させかつ「定常状態」動作モードを再開させるためには目覚ましマンチェスターコード化データ系列を起こす必要がある。第３動作モードは「ホールド」動作モードであって、このモードでシステムは目覚まし系列の検出と通常データの受信との間で動作し、このモード中、システムは、たとえ定常モードマンチェスターコード化データを受信していなくても、システムバイアスを維持する。
【００８２】
特定モードでは、いかに比較器４６がスイッチ５０及び５８によってバイアスされるかに従ってシステムが動作する。それゆえ、図１２に示されたモード制御回路１６０が線路２３８上に出力する信号に応答してマンチェスター遷移表示信号波形を監視することから検出された信号条件に基づき、スイッチ５０及び５８を３つの基準電圧の整定の１つを選択するように動作させる。
【００８３】
３つの基準電圧整定に対して発生された波形を図１６Ａ〜Ｃに概略的に示す。図５で明らかなように、比較器４６の反転入力上の接続点２における時定数は、比較器４６の非反転入力上の接続点１における時定数より遥かに大きい。したがって、接続点２は復調された振幅偏移変調信号ＤＡＳＫ（復調ＡＳＫ）の長期平均に主として応答するのに対して、接続点１は信号ＤＡＳＫデータ遷移に応答する。図１６Ａに示した波形を有する「定常状態」動作モードでは、スイッチ５０は閉じ、スイッチ５８は開く。「定常状態」動作モードでは、接続点２の基準電圧３００は接続点１の信号３０２の平均値に等しいことになる。マンチェスターコード化データの平均値は常に高レベルと低レベルとの間に中心を置いているから、雑音に対する最大余裕度が達成される。
【００８４】
図１６Ｂに示された波形を有する「ホールド」動作モードでは、両スイッチ５０及び５８が開く。放電路がないから、接続点２上のコンデンサ６０は、波形３０４として見らるように、先行電圧を保持する。波形３０６によって表現されるような、短休止時間間隔によって分離されたデータのバーストを含む伝送書式の場合、「ホールド」動作モードは妥当データのバーストとバーストとの間で最適しきい値を維持する。
【００８５】
図１６Ｃに示された波形を有する「オフセット」動作モードでは、基準電圧３０８は接続点１の雑音の平均値からオフセットしている。オフセット電圧は、基準電圧が接続点１に期待される最弱有効信号３１０の高レベルと低レベルとの間の中点に近似的にあるように選択される。このモードは、長休止時間間隔中使用される。比較器の出力雑音は、基準電圧が雑音平均値に等しくなることを許容するほとんどの遠隔制御受信機に見られる雑音よりも遥かに低く抑制される。
【００８６】
「オフセット」動作モードにおける比較器の雑音に対する余裕度は「定常状態」動作モードにおけるほど良好でないかもしれないが、更に行われる信号処理と組合わされる簡単な伝送書式が、データ出力線路２５５（図１４）上で雑音を従える疑似目覚まし系列が発生する可能性をほとんど除去することができる。目覚まし系列及び図１７に示されたような短休止時間を伴う書式が使用されることがある。これで判るように、目覚まし系列は、いくつかの類似パルス遷移３１４〜３２３、これに続く休止時間間隔３２６、これにまた続く所望マンチェスターコード化データ流３２８、３３０を含む。図示の実施励では、絶対に必要ではないが、初期系列である８マンチェスターコード化遷移３２８が適正同期を確実にするために伝送される。この同期系列３２８の後に、注目の実際のマンチェスターコード化データ信号３３０が伝送される。この書式で以て、線路２２５上のデコードされたデータ出力信号ＤＯＵＴ及びの出力制御回路１２５（図１４）から出力された線路２５７上のタイミングパルスＴＲＩＧは、妥当目覚まし系列及び短休止時間が起こった後にのみ活性化される。これらは、次の休止時間間隔が検出されるまで活性を保つ。
【００８７】
モード制御回路１６０は、マンチェスター遷移表示信号及び線路１００上の分周されたクロックパルスに応答して、適当な比較器基準モードを決定する。長休止時間中、「オフセット」動作モードが有効であり、かつ遷移表示信号の示す遷移がどれか検出されるとこれが候補目覚まし系列を開始させる。比較器４６は、妥当目覚まし系列が検出されるまで「オフセット」動作モードに留まる。妥当目覚まし系列は、所定数の適正に間隔を取った逐次遷移で構成される。適正な間隔を取るために、どれか２つの遷移間の間隔は３シンボル幅より狭くなければならない。これは、毎遷移に続く線路１００上の分周されたクロックパルスをカウントすることによって決定される。もしカウント３に達するならば、その系列を破棄し、かつ次に検出された遷移が過ぎた所で開始する。
【００８８】
特に、図１８に、入力回路４１の種々の接続点における波形がより詳細に示されている。目覚まし系列中、曲線セグメント３４０によって示されたように、比較器４６に対する基準電圧は、信号平均の最終値とオフセットとの和に向け上昇する。目覚ましに続いて、基準電圧は、点３４２において「定常状態」動作モードへスイッチされる。この図から明らかなように、目覚まし中、基準電圧は「定常状態」動作モードが使用されていたとしたならば上昇するであろうよりも敏速に信号平均値へと上昇する。これは、短い時定数及びオフセット電圧の存在の両方に起因する。図示の実施例では、目覚ましバースト内に１２の遷移があるがしかし４つの遷移しか目覚ましに必要でないので、システムは、普通、全バーストが完了する前に目覚める。これは基準電圧にとって真の平均値へ落ち着くのに追加の時間を許すが、「定常状態」動作モードにスイッチしたときには基準電圧が既に真の平均値になっているならば明らかに有利である。これは、目覚ましが目覚ましバーストの終端近く又は終端で起こり得る非常に弱い信号又は高雑音条件の場合に特に云える。
【００８９】
システムが目覚めた後、短休止時間が領域３４４で起こる。（注意を要するのは、図１８に示された休止時間領域３４４は図示の都合上相対的に短くされている。典型的休止時間は、例えば、２ミリ秒又はそれより長いことがある）。線路２５５上のデータ出力信号及び線路２５７上のタイミングパルスは、目覚ましに続く短休止時間の終端で使用許可される。このホールドオフが目覚ましバーストの残りの部分からデータを出力するの防止する。短休止時間は、各マンチェスター遷移表示信号パルスに続く線路１００上の分周されたクロックパルスをカウントすることによって検出される。もしカウント３に達したならば、短休止時間は開始されかつ比較器基準電圧がホールドモードへスイッチされる。これらの整定は、検出された遷移が再開するか又は線路１００上の分周されたクロックパルス及びカウントが６４に達するかのどちらかが起こるまで有効を保つ。もし検出された遷移が先に起こるならば、線路１００上の分周されたクロックパルスのカウントは零にセットされ、比較器基準電圧は「定常状態」動作モードにセットされ、その出力が使用許可され、デコードされたデータ出力信号ＤＯＵＴ、及びタイミングパルス、すなわち、トリガパルスＴＲＩＧがそれぞれの出力線路２５７及び２５７に現れる。
【００９０】
本発明は、或る程度の特殊性を伴って説明され図示されたが、本開示はただ例を示すために行われたのであって、部分の組合わせ及び配置上の数々の変更は、前掲の特許請求の範囲に掲げた本発明の精神及び範囲に反することなく、技術の習熟者にとって可能である。
【００９１】
以上の説明に関して更に以下の項を開示する。
【００９２】
（１）  マンチェスターコード化データ流デコーディング装置であって、
前記マンチェスターコード化データ流の遷移が検出されるとき遷移表示出力を発生するように前記マンチェスターコード化データを受信する遷移検出器、
前記遷移表示出力が発生された後の所定時刻に出力制御パルスを発生する回路、及び
前記マンチェスターコード化データ流を受信するサンプリングフリップフロップであって、前記出力制御パルスが発生されるとき前記マンチェスターコード化データの状態を出力するように前記出力制御パルスによって制御される前記サンプリングフリップフロップ
を含む装置。
【００９３】
（２）  第１項記載の装置において、前記サンプリングフリップフロップが前記マンチェスターコード化データ流の２進非零復帰形を発生するように動作する、装置。
【００９４】
（３）  第１項記載の装置であって、前記マンチェスターコード化データ流の周波数より高い周波数でクロックパルス流を発生するクロック発生器を更に含む装置。
【００９５】
（４）  第３項記載の装置において、前記遷移検出器が前記クロックパルス流を受信しかつ前記遷移表示出力を前記クロックパルス流のパルスと同期させるように構成される、装置。
【００９６】
（５）  第１項記載の装置であって、遷移の後に起こるマンチェスターセルの既知半部を選択する位相セレクタを更に含む装置。
【００９７】
（６）  第５項記載の装置において、前記位相セレクタがマンチェスターセルの第２半部を選択する、装置。
【００９８】
（７）  第５項記載の装置において、前記位相セレクタがマンチェスターセルの第１半部を選択する、装置。
【００９９】
（８）  第７項記載の装置であって、前記フリップフロップからの出力を反転させるインバータを更に含む装置。
【０１００】
（９）  タイミング回復及びマンチェスターコード化データデコーディングシステムであって、
出力パルスを供給する発振器、
マンチェスターコード化データ信号を含むことがある入力信号を受信しかつデータを含む信号を出力するように接続された多モード入力回路、
毎マンチェスター遷移においてマンチェスター遷移表示信号パルスを発生するために前記多モード入力回路の出力信号を受信するように接続された遷移検出器、
マンチェスター遷移の後に所定数の発振器パルスを発生するために前記発振器の出力パルスを受信するように接続されたマンチェスター遷移カウンタ、
サンプル命令信号を発生するために前記マンチェスター遷移カウンタから前記発振器パルスを受信するように接続された除数２分周回路、及び
前記除数２分周回路の出力に応答して前記マンチェスターコード化データの状態をラッチするために前記除数２分周回路の出力と前記マンチェスターコード化データとを受信するように接続されたサンプリング回路
を含むシステム。
【０１０１】
（１０）  第９項記載のシステムであって、
前記発振器の出力パルスを受信しかつ出力カウントを発生するように接続されたパルス発生器、
前記パルス発生器の前記出力カウントが予選択されたカウントに達した際に出力を供給するために前記パルス発生器の前記カウント出力を受信するように接続されたモードデコーダ、及び
前記モードデコーダの出力の少なくともいくつかを受信するように接続されたモード制御回路であって、前記多モード入力回路のモードを選択的に制御するように接続された前記モード制御回路
を更に含むシステム。
【０１０２】
（１１）  第１０項記載のシステムにおいて、前記モードデコーダが論理ゲートアレーである、システム。
【０１０３】
（１２）  第９項記載のシステムであって、
非零復帰出力データ信号と出力タイミングパルスとを発生するために前記サンプリング回路によってラッチされたデータと前記遷移表示パルスとを受信するように接続された出力制御回路
を更に含むシステム。
【０１０４】
（１３）  第１２項記載のシステムであって、半サイクルだけ前記出力タイミングパルスを遅延させる回路を更に含むシステム。
【０１０５】
（１４）  第９項記載のシステムにおいて、前記多モード入力回路はマンチェスターコード化データ流を含む信号を処理する「定常状態」動作モードと、前記システムに「目覚まし」させかつ前記「定常状態」動作モードを再開させるために目覚ましマンチェスターコード化データの系列を起こす必要がある「オフセット」動作モードと、たとえ「定常状態」動作モードマンチェスターコード化データを受信していなくても、システムバイアスを維持する「ホールド」動作モードとを有する、システム。
【０１０６】
（１５）  第９項記載のシステムであって、入力信号又は試験信号のどちらが処理されるか制御する試験モード制御回路を更に含む、システム。
【０１０７】
（１６）  第９項記載のシステムにおいて、前記多モード入力回路が
反転入力と非反転入力とを備える比較器、
前記入力信号を前記比較器の前記非反転入力に接続する第１抵抗器、
前記入力信号を前記比較器の前記反転入力に接続する第２抵抗器、
前記比較器の前記反転入力に１つの端で接続された第３対抗器、
前記第２抵抗器と直列に接続された第１スイッチ機能、
前記第３抵抗器の他の端と基準電圧との間に接続された第２スイッチ機能、
前記比較器の前記反転入力と前記非反転入力との間に接続された第１コンデンサ、及び
前記比較器の前記非反転入力と接地との間に接続された第２コンデンサ
を含み、
前記第１スイッチ機能と前記第２スイッチ機能とは前記モード制御回路によって制御される、システム。
【０１０８】
（１７）  入力信号内のマンチェスターコード化データ目覚まし系列に応答して休止状態からマンチェスターコード化データ検出器の動作を開始させる目覚まし回路であって、
前記入力信号のサンプルされた状態に相当するデータ出力信号を発生するために前記マンチェスターコード化データ検出器が休止状態にあるとき前記入力信号を受信するように初期的にオフであるホールド動作モードを有する入力回路、
基準電圧と前記入力信号との間の差に相当するデータ出力信号を発生するために入力信号平均値と所定オフセット電圧との和から導出された前記基準電圧と前記入力信号を比較するために前記入力信号を受信するように初期的にオンであるオフセット回路、
前記オフセット回路を選択的にスイッチするために前記入力回路の前記データ出力信号内に含まれるようにマンチェスターセルが果たして受信されたかどうか判定する回路、及び
前記オフセット回路をオフへ選択的にスイッチするために前記オフセット回路の前記データ出力信号内でそれぞれの所定状態を有するように所定数のマンチェスターセルが逐次受信されたかどうか判定する回路
を含む目覚まし回路。
【０１０９】
（１８）  第１７項記載の目覚まし回路であって、反転入力と、非反転入力と、出力とを有する差働増幅器を更に含み、
前記入力回路が前記差働増幅器の前記反転入力と基準電圧との間に接続された第１コンデンサと、前記差働増幅器の前記非反転入力と前記基準電圧との間に接続された第２コンデンサと、前記入力信号と前記差働増幅器の前記反転入力との間に接続された第１抵抗器とを含み、前記データ出力信号が前記差働増幅器の前記出力に発生され、
前記オフセット回路が前記差働増幅器の前記反転入力と前記基準電圧との間に接続された第１抵抗器と、前記差働増幅器の前記非反転入力と前記入力信号との間に接続された第２抵抗器と、前記オフセット回路をターンオフするために前記第１抵抗器と直列に接続された第１スイッチとを含み、前記第１スイッチが閉じたとき前記差働増幅器の前記出力が前記基準電圧と前記入力信号との間の差に相当する前記データ出力信号を発生し、
前記オフセット回路が前記第２抵抗器と直列に接続された第２スイッチを含み、前記第２スイッチが閉じかつ前記第１スイッチが開いたとき、前記差働増幅器の前記出力が増幅された前記入力信号を発生する、
目覚まし回路。
【０１１０】
（１９）  データの非零復帰２進表現を発生するマンチェスターコード化データデコーディング方法であって、
前記マンチェスターコード化データの各遷移毎にパルスを発生するステップ、
前記マンチェスターコード化データの各遷移毎に発生する前記パルスと時間的に位相を合わせてサンプリング信号を発生するステップ、
前記サンプリング信号の各発生の際に前記マンチェスターコード化データをラッチしかつ前記ラッチされたデータを出力として発生するステップ、及び
雑音に対する強化余裕度を達成しながら前記マンチェスターコード化データを受信するように適応しきい値検出を使用するステップ
を含む方法。
【０１１１】
（２０）  第１９項記載の方法において、前記適応しき値検出を使用するステップがデコーディング装置のデータ入力回路において複数の動作モードを提供するステップを含む、方法。
【０１１２】
（２１）  第２０項記載の方法において、前記複数の動作モードを提供するステップが「定常状態」動作モードを提供するステップと「オフセット」動作モードとを提供するステップとを含む、方法。
【０１１３】
（２２）  マンチェスターコード化データ流内の各マンチェスターセルの既知の半部の状態に相当する非零復帰データ信号を発生する方法であって、
前記マンチェスターコード化データ流内の各遷移において遷移パルスを発生するステップ、
前記マンチェスターコード化データ流内の前記マンチェスターセルの周波数のｎ倍の周波数を有する一連のタイミングパルスを発生するステップ、
各遷移パルスに応答して前記一連のタイミングパルスを再開始させるステップ、
各第ｍタイミングパルスが起こる際にマンチェスターセルの現行状態をラッチするステップであって、ｍがｎ／２より大きい、前記ラッチするステップ、
タイミングパルスカウントを供給するために前記タイミングパルスをカウントするステップ、
各遷移パルスに応答して前記カウントする動作を再開始させるステップ、及びもし前記タイミングパルスカウントがｎ／２より大きくなれば、次の第（ｎ／２）タイミングパルスの起こる際に前記マンチェスターコード化データ流をラッチするように前記ラッチする動作を進めるステップ
を含む方法。
【０１１４】
（２３）  第２２項記載の方法において、前記タイミグパルスが有する周波数は前記マンチェスターコード化データ流内の前記マンチェスターセルの周波数の２倍であり、ｎは２である、方法。
【０１１５】
（２４）  マンチェスターコード化データ流内の各マンチェスターセルの第２半部の状態に相当する非零復帰データ信号を発生する方法であって、
前記マンチェスターコード化データ流内の前記マンチェスターセルの周波数の半分の周波数を有する一連のタイミングパルスを発生するステップ、
各第２タイミングパルスが起こる際にマンチェスターセルの現行状態をラッチするステップ、
前記マンチェスターコード化データ流内の２倍幅パルスが起こるのを検出するステップ、及び
前記２倍幅パルスが検出された後に次に起こるタイミングパルスの際に前記ラッする動作を開始するように再同期するステップ
を含む方法。
【０１１６】
（２５）  マンチェスターコード化データ流内のマンチェスターセルの第２半部の状態に相当する非零復帰データ信号を発生する装置であって、
クロックパルス流を発生する発振器、
前記マンチェスターコード化データ流内の各遷移において出力パルスを発生するために前記マンチェスターコード化データ流を受信するように接続されたパルス発生器、
前記発振器からの前記クロックパルスによってクロック駆動されるように接続された除数ｎ分周カウンタであって、所定数の前記クロックパルスの後に状態を変化する出力を有する前記除数ｎ分周カウンタ、
前記除数ｎ分周カウンタの前記出力によってクロック駆動されるように接続されたタイミングフリップフロップであって、前記除数ｎ分周カウンタの前記出力の毎第２カウントの際に出力を発生するように接続される前記タイミングフリップフロップ、
前記マンチェスターコード化データ流を受信するデータ入力と前記タイミングフリップフロップの出力を受信するクロック入力とを有するように接続されたサンプリングフリップフロップであって、前記サンプリングフリップフロップがクロック駆動されるとき、前記マンチェスターコード化データ流の状態を出力として供給する前記サンプリングフリップフロップ、及び
前記除数ｎ分周カウンタの前記出力を受信するクロック入力と前記パルス発生器の前記パルス出力を受信するリセット入力とを有するように接続されることによって、いつ前記２倍幅マンチェスターパルスが起こったかを表示する信号を発生する逐次カウンタであって、前記表示する信号が前記サンプリングフリップフロップをリセットするように接続される、前記逐次カウンタ
を含む装置。
【０１１７】
（２６）  本発明の全般的態様によれば、マンチェスターコード化データ流デコーディング装置３４が提供される。この装置は、マンチェスターコード化データ流の遷移が検出されるとき遷移表示出力を発生するようにマンチェスターコード化データを受信する遷移検出器４５を含む。また、遷移表示出力が発生された後の所定時刻に出力制御パルスを発生する回路１０５を備える。サンプリングフリップフロップ１２０がマンチェスターコード化データ流を受信し、かつ出力制御パルスが発生されるときマンチェスターコード化データの状態を出力制御回路１２５へ出力するように出力制御パルスによって制御される。好適実施例においては、サンプリングフリップフロップ１２０は、マンチェスターコード化データ流の２進非零復帰波形を発生するように動作する。遷移検出器４５は、その遷移表示出力をクロックパルス流のパルスと同期させるように構成されることがある。また、マンチェスターコード化データの第１シンボル又は第２シンボルのどちらかを選択して装置の出力へ供給する位相選択器を含むことがある。
【図面の簡単な説明】
【図１】典型的マンチェスターコード化データ流の波形と、本発明の好適実施例によるタイミング回復及びデコーディングシステムを使用して同上データ流から導出された非零復帰データ流の波形とを示す波形図。
【図２】本発明の好適実施例によるマンチェスターコード化データデコーディングシステムの全体的電気回路図。
【図３】図２のシステムの動作を通して発生される各種信号の波形図。
【図４】図２のシステムに類似したシステムであって、本発明の他の好適実施による短及び長休止時間検出特徴、並びに長期休眠及び目覚まし能力を追加して備えるマンチェスターコード化データデコーディングシステムの電気回路図。
【図５】本発明の更に他の好適実施例によるタイミング回復及びマンチェスターコード化データデコーディングシステムの詳細電気回路図。
【図６】図５のシステムに使用される発振器の電気回路図。
【図７】図５のシステムに使用される遷移検出器の電気回路図。
【図８】図５のシステムに使用される除数５分周カウンタの電気回路図。
【図９】図５のシステムに使用される除数２分周回路の電気回路図。
【図１０】図５のシステムに使用されるモードデコーダの電気回路図。
【図１１】図５のシステムに使用されるパルス発生器の電気回路図。
【図１２】図５のシステムに使用されるモード制御回路の電気回路図。
【図１３】図５のシステムに使用される遷移カウンタの電気回路図。
【図１４】図５のシステムに使用され、マンチェスターコード化データを含むことがある入力信号から導出された非零復帰データ出力及びこれに伴うタイミング又はトリガパルスを発生する出力回路の電気回路図。
【図１５】図５のシステムに使用される試験モード選択回路の電気回路図。
【図１６】図５のシステムの各動作モードにおける図１５の回路からの出力信号波形図であって、Ａは「定常状態」動作モードにおける出力信号波形、Ｂは「ホールド」動作モードにおける出力信号波形、及びＣは「オフセット」動作モードにおける出力信号波形。
【図１７】図５のシステムに採用される目覚まし系列及び短休止時間間隔を伴うパルス信号の波形図。
【図１８】図５のシステムの入力回路内の比較器の種々の接続点における信号の詳細な波形図。
【図１９】図５のシステムに使用される多モード入力回路の詳細な回路図。
【符号の説明】
３４  タイミング回復及びマンチェスターコード化データデコーディングシステム
３５  発振器
４０  （システム）入力線路
４１  多モード入力回路
４５  遷移検出器（単安定パルス発生器）
４６  比較器
４７  第１抵抗器
４８  第２抵抗器
５０  第１スイッチ
５５  試験モード制御回路
５６  第３抵抗器
５８  第２スイッチ
６０  第１コンデンサ
６１  第２コンデンサ
７５  除数５分周カウンタ（マンチェスター遷移カウンタ）
１０５  除数２分周回路
１１０  モードデコーダ
１２０  サンプリング回路
１２１  サンプリングＤ形フリップフロップ
１２５  出力制御回路
１３０  パルス発生器
１６０  モード制御回路
１６５  目覚ましカウンタ、遷移カウンタ
２１２  マルチプレクサ
２５５  データ出力線路
２８０  電流源
２８１  ミラー回路
４００  マンチェスターコード化データデコーディングシステム
４０２  逐次カウンタ
４３０  マンチェスターコード化データデコーディングシステム
４３１  短休止時間レジスタ
４３２  長休止時間レジスタ
２ＩＮＩ  ２倍幅パルス表示信号
２ＸＣＫ  分周されたクロックパルス
ＤＡＳＫ  復調ＡＳＫ信号（入力信号）
ＤＢ２ＩＮＩ  同期パルス
ＤＯＵＴ  デコードされたデータ出力信号
Ｍ２ＤＡＴ  遷移表示信号
ＭＤＡＴ  マンチェスターコード化データ信号
ＳＣＬＫ  クロックパルス
ＳＳＭＳ  サンプル命令信号
ＴＲＩＧ  タイミングパルス、すなわち、トリガパルス
【図１】
0004009338.tif 000002
【図２】
0004009338.tif 000003
【図３】
0004009338.tif 000004
【図４】
0004009338.tif 000005
【図５】
0004009338.tif 000006
【図６】
0004009338.tif 000007
【図７】
0004009338.tif 000008
【図８】
0004009338.tif 000009
【図９】
0004009338.tif 000010
【図１０】
0004009338.tif 000011
【図１１】
0004009338.tif 000012
【図１２】
0004009338.tif 000013
【図１３】
0004009338.tif 000014
【図１４】
0004009338.tif 000015
【図１５】
0004009338.tif 000016
【図１６】
0004009338.tif 000017
【図１７】
0004009338.tif 000018
【図１８】
0004009338.tif 000019
【図１９】
0004009338.tif 000020